(57)【要約】【課題】対象者に負担をかけることなく生体情報を収集し、各種診断に供する。【解決手段】生体情報収集椅子１０は、椅子本体１と、椅子本体１に着座した対象者Ｍを認識する認識手段２と、椅子本体１の一部に組み込まれ、認識手段２で対象者Ｍが認識された条件で、椅子本体１に着座した対象者Ｍの生体情報を収集する収集器具３（３ａ，３ｂ）と、を備える。また、この生体情報収集椅子１０を乗り物５の室内空間６の座席の一部に設置する。更に、生体情報収集椅子１０と、生体情報収集椅子の収集器具３にて収集された生体情報及び認識手段２にて認識された対象者と関連付けて記録する情報記録手段１１と、情報記録手段１１に記録された生体情報に基づいて対象者の生体状態を診断する診断手段１２と、備えた生体情報診断システムを提供する。【選択図】図１
2016154759.tif 000002
【特許請求の範囲】
【請求項１】
少なくとも座部及び背もたれ部を有する椅子本体と、
前記椅子本体に着座した対象者を認識する認識手段と、
前記椅子本体の一部に組み込まれ、前記認識手段で対象者が認識された条件で、前記椅子本体に着座した対象者の生体情報を収集する収集器具と、を備えたことを特徴とする生体情報収集椅子。
【請求項２】
請求項１に記載の生体情報収集椅子において、
前記収集器具は収集した生体情報が取り出し可能な構成を有していることを特徴とする生体情報収集椅子。
【請求項３】
室内空間に設置される座席の少なくとも一部に請求項１に記載の生体情報収集椅子を用いたことを特徴とする乗り物。
【請求項４】
請求項３に記載の乗り物において、
運転席に前記生体情報収集椅子を用いたことを特徴とする乗り物。
【請求項５】
請求項３に記載の乗り物において、
前記収集器具の少なくとも一部が室内空間の椅子本体とは別の箇所に設置されることを特徴とする乗り物。
【請求項６】
請求項３に記載の乗り物のうち、室内空間が閉空間になり得る態様において、
前記収集器具は対象者の生体ガスを捕集するガス捕集器具であることを特徴とする乗り物。
【請求項７】
請求項６に記載の乗り物において、
前記収集器具としてのガス捕集器具は、前記生体情報収集椅子の背もたれ部の頭部近傍に設けられ、対象者の呼気を主として捕集対象とすることを特徴とする乗り物。
【請求項８】
請求項６に記載の乗り物において、
前記室内空間に設置された空気清浄装置にて室内空間内の対象者の周辺に清浄空気を吹き付けた状態で、前記収集器具としてのガス捕集器具による生体ガスの捕集を実施することを特徴とする乗り物。
【請求項９】
請求項４に記載の乗り物において、
前記認識手段は運転者の運転免許証を読み取ることで対象者を認識することを特徴とする乗り物。
【請求項１０】
請求項５に記載の乗り物において、
前記室内空間内の運転席の近傍に設置され、前記生体情報収集椅子に着座した運転者の眠気を診断するための生体情報を収集する眠気収集器具を備えていることを特徴とする乗り物。
【請求項１１】
請求項１又は３に記載の生体情報収集椅子と、
前記生体情報収集椅子の収集器具にて収集された生体情報及び前記認識手段にて認識された対象者と関連付けて記録する情報記録手段と、
前記情報記録手段に記録された生体情報に基づいて対象者の生体状態を診断する診断手段と、
を備えたことを特徴とする生体情報診断システム。
【請求項１２】
請求項１１に記載の生体情報診断システムにおいて、
前記生体情報収集椅子の近傍に設置され、前記診断手段による診断結果を表示する表示手段を備えていることを特徴とする生体情報診断システム。
【請求項１３】
請求項１１に記載の生体情報診断システムにおいて、
前記生体情報収集椅子の近傍に設置され、前記診断手段による診断結果に基づいて予め決められた改善対策を施す改善対策手段を備えていることを特徴とする生体情報診断システム。
【発明の詳細な説明】
【技術分野】
【０００１】
本発明は、着座する対象者の生体情報を収集する生体情報収集椅子に係り、特に、健康疾病診断を行う上で有効な生体情報収集椅子及びこれを用いた乗り物並びに生体情報診断システムに関する。
【背景技術】
【０００２】
従来におけるメディカルケア製品としては例えば特許文献１，２に記載のものが既に知られている。
特許文献１には、赤外線ランプを設けたボウル状の温水浴槽と、この上部に設けられ、臀部を温水浴槽内に浸漬するように支持する環状の座部と、この座部の外側に設けられたオーバーフロー受け部と、前記温水浴槽内に設けられ気泡を発生するバブリング装置と、温水浴槽内に設けられ前記座部に腰掛けた臀部の肛門に向かって薬液を噴射する薬液噴射ノズルとからなる肛門加熱洗浄装置が開示されている。
特許文献２には、検知ステーションにおいて生体被験者の生理的パラメータを監視するためのアセンブリであって、アセンブリは、少なくとも１つの各センサフィールド内の被験者の１つ以上の前記パラメータをセンサが検知することができる、前記少なくとも１つのセンサフィールドを作成するために、被験者の周りに配置された複数の前記センサと、前記少なくとも１つのセンサフィールドの各前記センサによって検知されたデータを少なくとも１つのデータ処理ステーションに送信するための電子手段と、前記センサフィールドから前記受信ステーションへの前記データの送信を制御するコントローラと、センサフィールドから受信した信号を操作者が最適化するための手段とを備え、データは０．５Ｈｚから２０，０００Ｈｚの範囲内で検知された運動および音を含み、センサフィールドから得られたデータは、触覚を用いて解釈可能なデータを含む電子監視システムが開示されている。
【先行技術文献】
【特許文献】
【０００３】
【特許文献１】特許第４００５９８５号公報（実施例，図１）
【特許文献２】特表２０１３−５４１９７３号公報（発明を実施するための形態，図１）
【発明の概要】
【発明が解決しようとする課題】
【０００４】
例えば特許文献１によれば、座部に臀部を腰掛けると、肛門が温水浴槽内の温水に浸漬され、痔疾患手術後の肛門の傷口を清潔に保持し、肛門を保温して血行を促進させることができると共に、薬液を傷口に噴射して回復を早めることが可能である。
また、特許文献２によれば、医療および関連する診断目的のための患者パラメータの電子監視を提供することができる。
このように、従前の特許文献１，２は痔疾患手術後のメディカルケア、患者パラメータの電子監視というように、予め決められた特定の目的に対するメディカルケアを主眼とした技術は多く提供されている。
【０００５】
しかしながら、日常生活の中において、一般人が健康疾病診断を行うには、定期的に人間ドックを受ける等医療機関に足を運ぶのが通常であるが、一般人が日常生活の中、例えば自宅で休養しているときや、自動車を運転しているときに気軽に生体情報を収集し、この収集した生体情報を利用することで健康疾病診断等の各種診断を事前に実施することができないかという要望が強く叫ばれている。
本発明が解決しようとする技術的課題は、対象者に負担をかけることなく生体情報を収集し、各種診断に供することが可能な新規な生体情報収集椅子及びこれを用いた乗り物並びに生体情報診断システムを提供することである。
【課題を解決するための手段】
【０００６】
請求項１に係る発明は、少なくとも座部及び背もたれ部を有する椅子本体と、前記椅子本体に着座した対象者を認識する認識手段と、前記椅子本体の一部に組み込まれ、前記認識手段で対象者が認識された条件で、前記椅子本体に着座した対象者の生体情報を収集する収集器具と、を備えたことを特徴とする生体情報収集椅子である。
請求項２に係る発明は、請求項１に係る生体情報収集椅子において、前記収集器具は収集した生体情報が取り出し可能な構成を有していることを特徴とする生体情報収集椅子である。
【０００７】
請求項３に係る発明は、室内空間に設置される座席の少なくとも一部に請求項１に係る生体情報収集椅子を用いたことを特徴とする乗り物である。
請求項４に係る発明は、請求項３に係る乗り物において、運転席に前記生体情報収集椅子を用いたことを特徴とする乗り物である。
請求項５に係る発明は、請求項３に係る乗り物において、前記収集器具の少なくとも一部が室内空間の椅子本体とは別の箇所に設置されることを特徴とする乗り物である。
請求項６に係る発明は、請求項３に係る乗り物のうち、室内空間が閉空間になり得る態様において、前記収集器具は対象者の生体ガスを捕集するガス捕集器具であることを特徴とする乗り物である。
請求項７に係る発明は、請求項６に係る乗り物において、前記収集器具としてのガス捕集器具は、前記生体情報収集椅子の背もたれ部の頭部近傍に設けられ、対象者の呼気を主として捕集対象とすることを特徴とする乗り物である。
請求項８に係る発明は、請求項６に係る乗り物において、前記室内空間に設置された空気清浄装置にて室内空間内の対象者の周辺に清浄空気を吹き付けた状態で、前記収集器具としてのガス捕集器具による生体ガスの捕集を実施することを特徴とする乗り物である。
請求項９に係る発明は、請求項４に係る乗り物において、前記認識手段は運転者の運転免許証を読み取ることで対象者を認識することを特徴とする乗り物である。
請求項１０に係る発明は、請求項５に係る乗り物において、前記室内空間内の運転席の近傍に設置され、前記生体情報収集椅子に着座した運転者の眠気を診断するための生体情報を収集する眠気収集器具を備えていることを特徴とする乗り物である。
【０００８】
請求項１１に係る発明は、請求項１又は３に係る生体情報収集椅子と、前記生体情報収集椅子の収集器具にて収集された生体情報及び前記認識手段にて認識された対象者と関連付けて記録する情報記録手段と、前記情報記録手段に記録された生体情報に基づいて対象者の生体状態を診断する診断手段と、を備えたことを特徴とする生体情報診断システムである。
請求項１２に係る発明は、請求項１１に係る生体情報診断システムにおいて、前記生体情報収集椅子の近傍に設置され、前記診断手段による診断結果を表示する表示手段を備えていることを特徴とする生体情報診断システムである。
請求項１３に係る発明は、請求項１１に係る生体情報診断システムにおいて、前記生体情報収集椅子の近傍に設置され、前記診断手段による診断結果に基づいて予め決められた改善対策を施す改善対策手段を備えていることを特徴とする生体情報診断システムである。
【発明の効果】
【０００９】
請求項１に係る発明によれば、対象者に負担をかけることなく、椅子に座るだけで生体情報を収集し、各種診断に供することができる。
請求項２に係る発明によれば、収集した生体情報を容易に各種診断に供することができる。
請求項３に係る発明によれば、乗り物の室内空間を利用し、対象者に負担をかけることなく、生体情報を収集し、各種診断に供することができる。
請求項４に係る発明によれば、乗り物の室内空間を利用し、運転者の生体情報を収集し、運転に影響する診断に供することができる。
請求項５に係る発明によれば、乗り物の室内空間を利用し、対象者の生体情報を椅子本体は勿論、椅子本体以外の場所からも広く収集し、各種診断に供することができる。
請求項６に係る発明によれば、乗り物の閉空間である室内空間を利用し、対象者の生体ガス情報を収集し、各種診断に供することができる。
請求項７に係る発明によれば、乗り物の閉空間である室内空間を利用し、対象者の生体ガスとしての呼気を効率的に捕集することができる。
請求項８に係る発明によれば、乗り物の閉空間である室内空間を利用し、対象者周辺の室内空間の空気を清浄にした環境下にて、対象者の生体ガスを効率的に捕集することができる。
請求項９に係る発明によれば、運転者の特定を正確に行い、運転者の生体情報を収集し、各種診断に供することができる。
請求項１０に係る発明によれば、運転者の眠気を診断するための生体情報を収集し、眠気診断に供することができる。
請求項１１に係る発明によれば、対象者に負担をかけることなく、椅子に座るだけで生体情報を収集し、収集された生体情報に基づいて対象者の生体状態を診断することができる。
請求項１２に係る発明によれば、対象者の生体状態を診断し、その診断結果を対象者に把握させることができる。
請求項１３に係る発明によれば、対象者の生体状態を診断し、その診断結果に基づいて対象者に改善対策を施すことができる。
【図面の簡単な説明】
【００１０】
【図１】本発明が適用された生体情報収集椅子及びこれを用いた生体情報診断システムの実施の形態の概要を示す説明図である。
【図２】本発明が適用された生体情報収集椅子が設置された乗り物及びこれを用いた生体情報診断システムの実施の形態の概要を示す説明図である。
【図３】実施の形態１に係る生体情報収集椅子が設置された乗り物の全体構成を示す説明図である。
【図４】実施の形態１で用いられる生体情報収集椅子及びその周辺構造を示す説明図である。
【図５】（ａ）は収集器具Ａの一例である捕集フィルタを示す説明図、（ｂ）は捕集フィルタに捕集された生体ガスの分析例を示す説明図である。
【図６】生体ガスと健康状態との相関を示す説明図である。
【図７】実施の形態２に係る生体情報収集椅子が設置された乗り物を用いた生体情報診断システムの全体構成を示す説明図である。
【図８】実施の形態２に係る生体情報診断システムによる診断例（１）を示す説明図である。
【図９】実施の形態２に係る生体情報診断システムによる診断例（２）を示す説明図である。
【図１０】実施の形態２に係る生体情報診断システムによる診断例（３）を示す説明図である。
【図１１】実施の形態２に係る生体情報診断システムによる診断例（４）を示す説明図である。
【図１２】実施の形態２に係る生体情報診断システムによる診断例（５）を示す説明図である。
【図１３】実施の形態２に係る生体情報診断システムによる診断例（６）を示す説明図である。
【図１４】実施の形態３に係る生体情報収集椅子及びこれを用いた生体情報診断システムを示す説明図である。
【発明を実施するための形態】
【００１１】
◎実施の形態の概要
図１は本発明が適用された生体情報収集椅子及びこれを用いた生体情報診断システムを示す説明図である。
同図において、生体情報収集椅子１０は、椅子本体１と、椅子本体１に着座した対象者Ｍを認識する認識手段２と、椅子本体１の一部に組み込まれ、認識手段２で対象者Ｍが認識された条件で、椅子本体１に着座した対象者Ｍの生体情報を収集する収集器具３（図１では３ａ，３ｂ）と、を備えたものである。
このよう技術的手段において、椅子本体１としては、座部１ａ及び背もたれ部１ｂを少なくとも有するものであればよく、これ以外の要素、例えば肘置き部１ｃや脚部１ｄなどを含んでいても差し支えない。
また、生体情報を収集するに当たり、着座する対象者Ｍを特定することが必要であるため、例えば運転免許証等のＩＤカードを読み込むリーダや、予め着座する対象者Ｍを登録しておき、着座時にいずれかを指定するスイッチ等、あるいは、生体認証などの認識手段２を備えることが必要である。
ここで、生体情報とは、対象者Ｍの生体ガス（呼気、皮膚ガス、放屁…）、心電図、血中酸素濃度、脈拍、体温、顔色、眼球や内臓を含む体の運動情報などを含む。
更に、収集器具３（例えば３ａ，３ｂ）は、収集する生体情報に応じて適宜選定して差し支えない。例えば生体ガスであれば、当該ガスを吸着するデバイスを着脱自在に設けるようにしたり、また、脈拍や心電図については夫々の測定器具を設けるようにすればよい。
【００１２】
また、収集器具３の好ましい態様としては、収集した生体情報が取り出し可能な構成を有している態様が挙げられる。ここで、「収集した生体情報が取り出し可能な構成」とは、収集した生体情報が検出されるセンサを具備する構成や、例えば生体ガスが吸着可能な吸着フィルタを着脱自在なカートリッジ構成にする態様を意味する。
更に、生体情報診断システムは、前述した生体情報収集椅子１０と、生体情報収集椅子１０の収集器具３にて収集された生体情報及び認識手段２にて認識された対象者Ｍと関連付けて記録する情報記録手段１１と、情報記録手段１１に記録された生体情報に基づいて対象者Ｍの生体状態を診断する診断手段１２と、を備えたものである。
本システムでは、情報記録手段１１、診断手段１２は通信を介して直接生体情報収集椅子１０の収集器具３と接続されていてもよいし、着脱式の収集器具３から収集された情報を管理センタにて記録、診断するようにしてもよい。
また、本システムでは、生体情報収集椅子１０の近傍に設置され、診断手段１２による診断結果を表示する表示手段１３を備えている態様が好ましい。本態様によれば、対象者Ｍに診断手段１２による診断結果をフィードバックすることが可能である。
【００１３】
図２は本発明が適用された生体情報収集椅子を設置した乗り物及びこれを用いた生体情報診断システムの実施の形態の概要を示す。
つまり、本実施の形態では、乗り物５は、室内空間６に設置される座席の少なくとも一部に前述した生体情報収集椅子１０を用いたものである。
ここで、乗り物５には自動車や電車等の車両は勿論、更には飛行機、船舶等も含まれる。
また、この種の乗り物５の代表的態様としては、運転席に生体情報収集椅子１０を用いた態様が挙げられる。
本態様によれば、運転者の生体情報を監視対象とすることで、乗り物５の運転の安全対策（飲酒運転、居眠り運転、てんかん患者、違法ドラッグ使用者による運転等の対策）に利用することができる。
【００１４】
更に、乗り物５の室内空間６を利用し、収集器具３の少なくとも一部（本例では３ｃ）が室内空間６の椅子本体１とは別の箇所に設置されてもよい。
生体情報を収集する収集器具３（例えば３ａ〜３ｃ）は生体情報収集椅子１０に全てが設置されていてもよいが、例えば対象者Ｍに対面した位置の方が生体情報を収集し易い場合には、収集器具３ｃに示すように、椅子本体１とは別の箇所に設置する方が好ましい。また、乗り物５の室内空間６に設けられている車載カメラ等を収集器具３の一部に利用してもよい。
また、乗り物５として室内空間６が閉空間になり得る態様への適用例としては、収集器具３（例えば３ａ）は対象者Ｍの生体ガスを捕集するガス捕集器具である態様が挙げられる。
【００１５】
そして、生体ガス情報を収集する代表的態様としては、収集器具３（例えば３ａ）としてのガス捕集器具は、生体情報収集椅子１０の背もたれ部１ｂの頭部近傍に設けられ、対象者Ｍの呼気を主として捕集対象とするものである。ガス捕集器具の設置場所は任意であるが、生体情報収集椅子１０の背もたれ部１ｂの頭部近傍（例えばヘッドレスト等）に設置することで、対象者Ｍの生体ガスＧとしての呼気を主として捕集することが可能である。
また、別の代表的態様としては、室内空間６に設置された空気清浄装置７にて室内空間６内の対象者Ｍの周辺に清浄空気を吹き付けた状態で、収集器具３（例えば３ａ）としてのガス捕集器具による生体ガスの捕集を実施する態様が挙げられる。本態様では、空気清浄装置７にて室内空間９の空気を清浄にした環境下において、乗り物５の室内空間６にて対象者Ｍの生体ガスＧを収集することが可能である。
【００１６】
更に、運転席に生体情報収集椅子１０を設置した好ましい態様としては、認識手段２は運転者の運転免許証を読み取ることで対象者を認識するものが挙げられる。
更にまた、運転者の安全性を考慮すれば、運転者の眠気診断機能を付加した態様が好ましい。本態様では、室内空間６内の運転席の近傍に設置され、生体情報収集椅子１０に着座した運転者の眠気を診断するための生体情報を収集する眠気収集器具３（本例では３ｃ）を備えていることが好ましい。
眠気収集器具３ｃの設置場所は、乗り物５の室内空間６のうち運転席の近傍であれば、生体情報収集椅子１０とは別に設けてもよいし、当該椅子の一部に付加するようにしてもよい。
そして、眠気収集器具３ｃとしては、あくびの検知、眼球、発生音声、表情、顔面筋肉の運動性など、眠気を診断する上で必要な情報を収集することが可能な器具であればよい。
【００１７】
また、この乗り物５を利用した生体情報診断システムとしては、前述した生体情報収集椅子１０と、生体情報収集椅子１０の収集器具３にて収集された生体情報及び認識手段２にて認識された対象者Ｍと関連付けて記録する情報記録手段１１と、情報記録手段１１に記録された生体情報に基づいて対象者Ｍの生体状態を診断する診断手段１２と、を備えた態様が挙げられる。
本例においても、情報記録手段１１、診断手段１２は通信を介して直接生体情報収集椅子１０の収集器具３と接続されていてもよいし、着脱式の収集器具３から収集された情報を管理センタにて記録、診断するようにしてもよい。
また、対象者Ｍに診断手段１２による診断結果をフィードバックするには乗り物５内あるいは乗り物５外で表示手段１３に表示するのが好ましい。特に、乗り物５内では車内ディスプレイを表示手段１３として利用するのがよい。
更に、生体情報診断システムにおいては、生体情報収集椅子１０の近傍に設置され、診断手段１２による診断結果に基づいて予め決められた改善対策を施す改善対策手段（図示せず）を備えているのが好ましい。
ここでいう改善対策手段としては、例えば乗り物５の運転者が対象者Ｍである場合において、眠気のグレードが高いと診断されたときに、居眠り防止機能として、眼球に突発気流、冷風、温風、刺激性のガス状物質、光、音波、振動などを与えて、運転者の眠気を解消することが挙げられる。
【００１８】
以下、添付図面に示す実施の形態に基づいて本発明をより詳細に説明する。
◎実施の形態１
図３は実施の形態１に係る生体情報収集椅子が設置された乗り物としての自動車の全体構成を示す。
本実施の形態では、乗り物としての自動車２０は、室内空間２１の運転席に生体情報収集椅子ＣＲを設置し、この生体情報収集椅子ＣＲに着座する運転者（対象者）Ｍの生体情報を収集するようにしたものである。
尚、本例では、自動車２０は、図示外の制御装置（コンピュータ）を搭載し、各種センサから情報に基づいて運転者による運転をコントロールするようになっている。また、室内空間２１の運転席の近傍には空気清浄装置６０や車内ディスプレイ７０（図４参照）が設けられている。
【００１９】
＜生体情報収集椅子の構成＞
本例において、生体情報収集椅子ＣＲは、図３及び図４に示すように、椅子本体３０と、椅子本体３０に着座する運転者Ｍを認識する認識器具５０と、椅子本体３０の一部に組み込まれ、認識器具５０で運転者Ｍが認識された条件で、椅子本体３０に着座した運転者Ｍの生体情報を収集する収集器具４０と、を備えている。
ここで、椅子本体３０は、室内空間２１の運転席に対応した部位に昇降可能に設置される座部３１、運転者Ｍの後頭部に対応した個所にヘッドレスト３２ａが付された背もたれ部３２，更には、座部３１の側方に設けられる肘置き部３３を有している。
そして、本例では、肘置き部３３のハンドル２２側には認識器具５０が組み込まれており、この認識器具５０は例えば運転免許証の読取リーダにて構成され、運転免許証から個人情報（性別、氏名、年齢、生年月日、現住所、本籍など）を読込み、自動車に搭載されている図示外の制御装置の記憶部に読み取った情報を格納するようになっている。
尚、認識器具５０としては、運転免許証の読取リーダに限られるものではなく、運転者の氏名入力や、呼気、網膜、指紋などの生体情報を用いた個人認証機構を用いるようにしてもよい。
【００２０】
また、自動車では室内環境（温度、湿度、気流、気圧、輻射熱、空気清浄度、照度、振動、発進停止時或いはカーブ走行時の重力変化・・・）が制御できるが、健康診断に理想的な一定環境制御ができるし、場合によっては生体情報が変化する特別な環境条件を作り出すことができる。このような一定環境や変動する環境で得られる生体情報には個人の健康や疾病などに関わる情報が含まれる。
そこで、車室内の監視物理量（生体ガス、尿中気化物・・・）による健康診断技術を提案するものである。
本例では、以下の物理量及び情報の少なくとも一部が監視・収集する対象になっている。
1)  生体ガス（呼気、皮膚ガス、放屁・・・）、尿中気化物
2)  心拍（心電図）
3)  血中酸素濃度
4)  脈拍
5)  眼球や内臓を含む体の運動
6)  顔色
7)  体温（顔面、臀部、背中・・・・）
8)  鳴き声、悲鳴、会話、音声、打撃音、痙攣（微細振動）
9)  あくび
10)  シートベルトの伸長長さ、圧力、温度
11)  シートの体重・圧力・温度・湿度などの物理量
12)  シート、ルームミラーなどの車用部品を用いた超音波や赤外線などの照射機能と反射波の受信機能
13)  （ハンドルやシート、床面を用いた）上記の物理量
14)  GPS情報（現在位置、周辺の病院や交番・・などの情報、過去の通行履歴、事故多発地帯、カーブ等の走行時の重力変化が予想される地帯）
15)  運転時の気温、湿度、気圧、大気汚染物質（PM2.5、花粉、DEP、NOｘ、CO、VOC・・・）
16)  運転者の健康情報（お薬手帳、医師診断書、健康診断書等）
【００２１】
また、本実施の形態では、収集器具４０は、例えば以下の３系統（Ａ〜Ｃ）の収集器具４１、収集器具４２及び収集器具４３が搭載されている。
収集器具４１（Ａ）：
この収集器具４１は、図４及び図５（ａ）に示すように、例えば椅子本体３０の背もたれ部３２のヘッドレスト３２ａに着脱自在に装着され、前述した生体ガスＧ（主として呼気）を捕集する器具であり、本例では、捕集フィルタにて構成されている。
本例では、捕集フィルタは、外気側から呼気中の汚染物質を捕集する除去フィルタ４２１、その内側に呼気中のガス成分を吸着する吸着フィルタ２２、更にその内側には外気が侵入することを防止する逆止弁４２３を設置したものである。
収集器具４２（Ｂ）：
この収集器具４２は、運転者Ｍの心電図、血中酸素濃度、脈拍、体温などの身体内の情報を収集する器具であり、例えば椅子本体３０の背もたれ部３２のうち運転者の心臓の近傍に設けられる測定器具にて構成されている。尚、血中酸素濃度等を収集対象にする場合には専用の測定器具を付設するようにすればよい。
収集器具４３（Ｃ）：
この収集器具４３は、例えば運転者Ｍの顔の表情や眼球の動き等を監視するために撮影する撮像器具（室内カメラ）や、室内空間２１で生ずる音を検出するマイクなどの録音器具であり、本例では、例えば室内空間２１の運転席の手前などに搭載されている車載用カメラや車載用マイクがそのまま利用されている。
これらの収集器具４１〜４３は監視・収集する対象1)〜9)を収集することが可能である。
尚、監視・収集する対象10)〜15)については、自動車に運転あるいは環境制御用に用いられる各種センサにて収集されるようになっている。また、16)については、専用の読取リーダを用いて収集するようにしてもよい。
【００２２】
次に、本実施の形態に係る生体情報収集椅子ＣＲが設置された自動車の作用について説明する。
本実施の形態によれば、図４に示すように、前述したように、収集器具４１（Ａ）は生体情報収集椅子ＣＲに着座した運転者Ｍの生体ガスＧ（主として呼気）を捕集する。このとき、閉空間である室内空間２１において、空気清浄装置６０にて運転席周辺に清浄空気Airを吹き付けると、運転者Ｍの周囲環境は清浄空気質が多くなり、この環境下において、運転者Ｍからの生体ガスＧ（主として呼気）が生成されると、運転者Ｍからの生体ガスＧ（主として呼気）が収集器具４１としての捕集フィルタに主として捕集される。尚、室内空間２１の他のガス成分が収集器具４１としての捕集フィルタに捕集される可能性は少ない。
この状態において、図５（ａ）に示すように、例えば収集器具４１（Ａ）としての捕集フィルタを椅子本体３０から取外し、図５（ｂ）に示すように、管理センタなどの専門施設にて例えば加熱脱離や溶媒抽出等の処理により、収集器具４１としての捕集フィルタから生体成分を分離し、これをガスクロマトグラフ質量分析計（ＧＣ／ＭＳ）、ガスクロマトグラフ（ＧＣ）、高速液クロマトグラフ（ＨＰＬＣ）、イオンクロマトグラフ（ＩＣ）等の外分析装置によって精密分析し、定性・定量することが可能である。
このとき、呼気中の生体ガス成分の分布をみると、運転者Ｍの生体ガスＧの分布に基づいて、運転者Ｍの健康疾病診断を予測することが可能である。
例えば図６に示すように、生体ガス（例えば呼気）と健康状態との相関関係としては、特定の指標物質と疾病との間には因果関係があることが知られており、これらの因果関係に基づいて運転者Ｍの疾病リスクが事前に診断可能になる。
【００２３】
また、本例では、収集器具４２（Ｂ）や収集器具４３（Ｃ）にて収集した生体情報は、例えば図示外の制御装置によってモニタされ、例えば車内ディスプレイ７０に必要に応じて表示するようにし、あるいは、診断部にて簡易な診断アルゴリズムを実行し、特定の生体情報が標準値から大幅に外れるという異常値が検出された場合には車内ディスプレイ７０に生体情報に対して異常であるという警告表示をするようになっている。
【００２４】
◎実施の形態２
図７は実施の形態２に係る生体情報診断システムの要部を示す。
同図において、自動車２０の室内空間２１には、実施の形態１と略同様な生体情報収集椅子ＣＲが設置されており、収集器具４１（Ａ）〜４３（Ｃ）、認識器具５０、各種センサ８２からの情報が制御装置８０に取り込まれ、記憶部８１に記憶されるほか、制御装置８０からの制御信号に基づいて空気清浄装置６０，空気調和装置６１による空気制御処理が実施され、更には、車内ディスプレイ７０に必要な情報を表示するようになっている。
一方、自動車２０に搭載した制御装置８０は、ネットワーク９０を介して管理センタの制御装置１００と通信可能に情報伝達するようになっている。
本例において、管理センタの制御装置１００は、自動車２０にて収集された生体情報や自動車２０の走行情報を認識器具５０で認識した運転者Ｍの認識情報と関連付けるようにデータ集計するデータ集計部１２０と、このデータ集計部１２０にて集計したデータを記憶する記憶部１１０と、この記憶部１１０に記憶されたデータから必要なデータを取り出して運転者の生体情報や走行情報に関して診断する診断部１３０と、を備えている。
ここで、診断部１３０による診断プログラムには以下に述べるようなものが挙げられる。
【００２５】
＜診断例１＞
図８は飲酒運転の発見、防止、注意、連絡、走行停止措置についての診断プログラムの実施過程を模式的に示すものである。
飲酒時の生体ガスの成分変化については、生体ガスＧの特定のガス成分が影響していることが見出されている。本件発明者らの研究によれば、特定のガス成分としてエタノール、アセトアルデヒド濃度が大きく影響していることが判明した。
そこで、本実施の形態では、収集器具４１（Ａ）として、エタノール濃度を検出する第１の濃度センサ４１ａと、アセトアルデヒド濃度を検出する第２の濃度センサ４１ｂとを椅子本体３０の背もたれ部３２のヘッドレスト３２ａに組込み、椅子本体３０に着座した運転者Ｍからの生体ガスＧ（主として呼気）中の各ガス成分濃度を時系列で定期的に検出し、各ガス成分の時系列変化を収集する。
この収集データはネットワーク９０を介して管理センタに送られ、データ集計部１２０によるデータ集計処理、記憶部１１０へのデータ記憶処理を経た後、診断部１３０による診断処理が行われる。
このとき、診断部１３０では、生体ガスＧ中のエタノール、アセトアルデヒドの濃度比により、飲酒程度を予測し、また、運動能力を予測する。
管理センタは、この予測結果について該当する自動車２０の車内ディスプレイ７０に表示し、運転者Ｍへ情報提供する。
尚、管理センタは、事態が緊急を要する場合には、運転停止措置を促したり、あるいは、警察などの関係機関への連絡を行う。
【００２６】
＜診断例２＞
図９は運転者に緊急を要する異常が生じた場合の診断プログラムの実施過程を模式的に示す。
近年、てんかん患者、麻薬や禁止ドラッグ使用者の事故が問題になっているが、この種の運転者Ｍは、呼気、体温、眼球運動、痙攣、顔色、心拍……などの生体情報に異常があると考えられる。
そこで、本例では、収集器具４１（Ａ）〜４３（Ｃ）にて各種の生体情報を収集した後、収集したデータをネットワーク９０を介して管理センタに伝送し、管理センタにてデータ集計処理、データ記憶処理及び診断処理を実施する。
ここで、診断処理において、生体情報に異常があるか否かを判断し、異常がある場合には、例えば情報管理センタへ連絡し、該当する自動車２０に対して事故防止対策をとるようにする。一方、異常がない場合には、車内ディスプレイ７０を利用して異常がないことを運転者Ｍに通知する。
尚、診断処理において、運転者Ｍの走行情報も併せて診断し、危険な走行状態である場合に生体情報の異常があると判断される可能性を高めるようにしてもよい。
また、自動車の発進、停車、カーブ通過時の体重変動により、運転者の脈拍、血圧、生体ガス等の変化との相対関係を調べるようにすれば、運転者の走行時における生体情報変化を分析することも可能である。
【００２７】
＜診断例３＞
図１０は眠気診断機能を付加した診断アルゴリズムの実施過程を模式的に示す。
眠気診断原理はあくびの検知、眼球、発生音声、表情、顔面筋肉の運動性などを捉え、運転者の眠気をグレード付けするものである。
本例では、収集器具４３（Ｃ）にて必要な生体情報を収集した後、収集したデータをネットワーク９０を介して管理センタに伝送し、管理センタにてデータ集計処理、データ記憶処理及び診断処理を実施する。
ここで、診断処理において、運転者の眠気のグレードを診断し、運転者の眠気解消策の有無について判断する。眠気解消策が必要である場合には、例えば眼球に突発気流、冷風、温風を吹き付けたり、刺激性のガス状物質、光、音波、振動などを与え、運転者の眠気解消を図るようにすればよい。尚、眠気解消策が不要である場合には、眠気解消策は実施されない。
【００２８】
＜診断例４＞
図１１は例えば自動車２０の室内空間２１に子供や赤ん坊を置き去りにしたことによる事故を防止するための診断プログラムの実施過程を示す。
本例では、収集器具４３（Ｃ）にて必要な生体情報を収集してモニタした後、これを自動車２０に搭載した制御装置８０にて記憶部８２にデータ記憶処理すると共に、置き去りの可能性がある状況と判断した場合には、運転者Ｍの携帯端末１４０に情報伝達処理するようにする。
このとき、車室内画像データや車室内音声データを伝達することにより、運転者ｍは車室内状況を即座に判断することができ、置き去りに伴う事故を未然に防止することが可能である。
【００２９】
＜診断例５＞
図１２は運転者の事故リスクを未然に防止するための診断プログラムの実施過程を模式的に示す。
本例では、収集器具４１（Ａ）〜４３（Ｃ）にて各種の生体情報を収集すると共に、各種センサ８２から運転者Ｍの走行情報（走行距離、急発進、燃費、走行エリア……）を収集し、更には、認識器具５０にて運転者Ｍを特定した後、収集したデータをネットワーク９０を介して管理センタに伝送し、管理センタにてデータ集計処理、データ記憶処理及び診断処理を実施する。
ここで、診断処理においては、運転者Ｍの健康疾病診断を行うと共に、運転者Ｍの走行状態診断を行い、両者の診断結果から、運転者Ｍ固有の事故リスクを事前に判断し、運転者Ｍへ情報提供する。例えば睡眠時無呼吸症候群を持病とする運転者Ｍに対し、自動車２０や管理センタが適宜情報、アドバイス、指示をすれば、運転者Ｍによる事故リスクを少なくすることが可能である。尚、必要に応じて健康相談、健康教育を行うようにしてもよい。
また、本例では、運転者の走行状態診断をするため、管理センタは運転者の走行履歴情報を把握することができ、運転者Ｍに適した運転講習を車内ディスプレイ７０を用いて行ったり、あるいは、講習内容はＵＳＢなどの記録媒体で自動車２０から持ち出し、自宅などのパーソナルコンピュータやテレビなどで運転講習を受講することもできる。
【００３０】
＜診断例６＞
図１３は高齢者の運転による事故を未然に防止するための診断プログラムの実施過程を模式的に示す。
本例は、高齢者は、視力等の感覚器の老化、異常などの原因で運転事故につながる懸念があるが、運転者の認知能力と上述した監視情報とにより、事故問題を未然に防止するようにしたものである。
本例では、収集器具４１（Ａ）〜４３（Ｃ）にて各種の生体情報を収集すると共に、各種センサ８２から運転者Ｍの走行情報（走行距離、急発進、燃費、走行エリア……）を収集し、更には、認識器具５０にて運転者Ｍを特定し、更に、カーナビゲーションシステム（ＧＰＳ）１５０からの情報を取り込んだ後、収集したデータをネットワーク９０を介して管理センタに伝送し、管理センタにてデータ集計処理、データ記憶処理及び診断処理を実施する。
ここで、高齢者向けの運転支援が必要が否かを判断し、必要がある場合には、高齢者向けの運転支援を実施する。例えばカーナビケーションシステム１５０のＧＰＳ機能により、高速道路入口出口の識別を行い、運転者Ｍに伝えることで逆走運転を未然に防止するようにする。
また、高齢者特有の視覚チェックの要否について判断し、必要であると判断した場合には、高齢者特有の視覚チェックを受けることを推奨する。例えば高齢者は、眼球水晶体が濁り、見えにくい波長の光があることが研究により判明している。このような運転者に対しては、自動車２０のフロントガラスを通過する光波長を見え易いように変調することで、運転者し易くなるため、このような対応を可能とするように、高齢者に対して情報提供する事も可能である。
【００３１】
◎実施の形態３
図１４は実施の形態３に係る生体情報診断システムの要部を示す説明図である。
同図において、生体情報収集椅子３０は、自動車２０のり室内空間ではなく、例えば自宅等の建物の室内空間に設置されている。
本例において、生体情報収集椅子３０は、例えばマッサージ器を兼用するもので構成されており、座部３１、背もたれ部３２、肘置き部３３、脚部３４及びマッサージ作用を奏する足置き部３５からなる椅子本体３０を備えている。
そして、椅子本体３０の例えば背もたれ部３２には、収集器具４１（Ａ）、収集器具４２（Ｂ）が組み込まれており、肘置き部３３には認識器具１５０が設けられている。尚、符号１８０は脚部３４内に搭載されている制御装置を示す。
また、生体情報収集椅子３０の近傍には室内ディスプレス１７０が設置されている。
更に、本例では、制御装置１８０にて収集された収集データはネットワーク９０を介して管理センタに送られ、データ集計部１２０によるデータ集計処理、記憶部１１０へのデータ記憶処理を経た後、診断部１３０による診断処理が行われる。
本例では、生体情報収集椅子３０は、建物内の室内空間に設置されているが、管理センタとの間の通信機能によって実施の形態１，２と同様な健康疾病診断を始め、健康相談、健康教育などを行うことができる。
【符号の説明】
【００３２】
１…椅子本体，１ａ…座部，１ｂ…背もたれ部，１ｃ…肘置き部，１ｄ…脚部，２…認識手段，３（３ａ〜３ｃ）…収集器具，５…乗り物，６…室内空間，７…空気清浄装置，１０…生体情報収集椅子，１１…情報記録手段，１２…診断手段，１３…表示手段，Ｍ…対象者（運転者）
【図１】
2016154759.tif 000003
【図２】
2016154759.tif 000004
【図３】
2016154759.tif 000005
【図４】
2016154759.tif 000006
【図５】
2016154759.tif 000007
【図６】
2016154759.tif 000008
【図７】
2016154759.tif 000009
【図８】
2016154759.tif 000010
【図９】
2016154759.tif 000011
【図１０】
2016154759.tif 000012
【図１１】
2016154759.tif 000013
【図１２】
2016154759.tif 000014
【図１３】
2016154759.tif 000015
【図１４】
2016154759.tif 000016